(57)【要約】【課題】  熱交換器の接続パイプとハーネスをラジエータコアサポートに対して同時に短時間で容易に固定できるラジエータコアサポート構造の提供。【解決手段】  ラジエータコアサポート１に、ハーネス３の略半外周形状に合致し、後方に開口するハーネス用溝８ａと、ハーネス用溝８ａの開口側上端に連続し、接続パイプ１０の一部外周と合致する形状の接続パイプ用溝８ｂと、ハーネス用溝８ａの開口側下端に連続し、該ハーネス用溝８ａと反対側へ低く傾斜したテーパ部８ｅと、接続パイプ１０の半外周形状を有して上方に開口した仮保持溝８ｃを有し、テーパ部８ｅの下端に近接して設けられたヒンジ機構９により上方に回動可能な開閉部８ｄを備えた。【選択図】      図８
2007290531.tif 000002
【特許請求の範囲】
【請求項１】
ラジエータコアサポートに、ハーネスの略半外周形状に合致し、前方または後方、側方のいずれか一方側に開口するハーネス用溝と、
前記ハーネス用溝の開口側上端に連続し、接続パイプの一部外周と合致する形状の接続パイプ用溝と、
前記ハーネス用溝の開口側下端に連続し、該ハーネス用溝と反対側へ低く傾斜したテーパ部と、
前記接続パイプの略半外周形状を有して上方に開口した仮保持溝を有し、前記テーパ部の下端に近接して設けられたヒンジ機構により上方に回動可能な開閉部とを備えたことを特徴とするラジエータコアサポート構造。
【発明の詳細な説明】
【技術分野】
【０００１】
本発明は、ラジエータコアサポート構造に関する。
【背景技術】
【０００２】
従来、ラジエータコアサポートに搭載される熱交換器の接続パイプと、ヘッドランプ等の電装部品のハーネスはラジエータコアサポートに対してそれぞれクリップ等の固定手段を用いて固定されている（特許文献１参照）。
【特許文献１】特開平５−１９３４９５号公報
【発明の開示】
【発明が解決しようとする課題】
【０００３】
しかしながら、従来の発明にあっては、熱交換器の接続パイプとハーネスをそれぞれクリップ等の固定手段を用いて固定していたため、それらの固定に大変手間が掛かるという問題点があった。
【０００４】
本発明は上記課題を解決するためになされたものであって、その目的とするところは、熱交換器の接続パイプとハーネスをラジエータコアサポートに対して同時に短時間で容易に固定できるラジエータコアサポート構造を提供することである。
【課題を解決するための手段】
【０００５】
本発明の請求項１記載の発明では、ラジエータコアサポートに、ハーネスの略半外周形状に合致し、前方または後方、側方のいずれか一方側に開口するハーネス用溝と、前記ハーネス用溝の開口側上端に連続し、接続パイプの一部外周と合致する形状の接続パイプ用溝と、前記ハーネス用溝の開口側下端に連続し、該ハーネス用溝と反対側へ低く傾斜したテーパ部と、前記接続パイプの略半外周形状を有して上方に開口した仮保持溝を有し、前記テーパ部の下端に近接して設けられたヒンジ機構により上方に回動可能な開閉部とを備えたことを特徴とする。
【発明の効果】
【０００６】
本発明の請求項１記載の発明にあっては、ラジエータコアサポートに、ハーネスの略半外周形状に合致し、前方または後方、側方のいずれか一方側に開口するハーネス用溝と、前記ハーネス用溝の開口側上端に連続し、接続パイプの一部外周と合致する形状の接続パイプ用溝と、前記ハーネス用溝の開口側下端に連続し、該ハーネス用溝と反対側へ低く傾斜したテーパ部と、前記接続パイプの略半外周形状を有して上方に開口した仮保持溝を有し、前記テーパ部の下端に近接して設けられたヒンジ機構により上方に回動可能な開閉部とを備えたので、熱交換器の接続パイプとハーネスをラジエータコアサポートに対して同時に短時間で容易に固定できる。
【発明を実施するための最良の形態】
【０００７】
以下、この発明の実施例を図面に基づいて説明する。
【実施例１】
【０００８】
以下、実施例１を説明する。
なお、車両前後方向及び車幅方向を前後方向及び左右方向と称して説明する。
図１は本発明の実施例１のラジエータコアサポート構造を車両後方側から見た全体正面図、図２は本実施例１のラジエータコアサポートを車両後方側から見た正面図、図３は本実施例１の固定部の斜視図、図４は本実施例１の熱交換器の正面図、図５は本実施例１の接続パイプの斜視図、図６は本実施例１のハーネスの正面図である。
図７〜９は本実施例１の固定部、ハーネス、接続パイプの固定を説明する図である。
【０００９】
先ず、全体構成を説明する。
図１に示すように、本実施例１のラジエータコアサポート構造が採用されたラジエータコアサポート１は、熱交換器２とハーネス３が備えられている。
【００１０】
図２に示すように、ラジエータコアサポート１は、左右方向に延在するラジエータコアサポートアッパ４と、このラジエータコアサポートアッパ４と並行するラジエータコアサポートロア５と、これら両者の両端部同士を結合するラジエータコアサポートサイド6,7で構成され、これらラジエータコアサポートアッパ４、ラジエータコアサポートロア５、ラジエータコアサポートサイド6,7の内側に熱交換器２を収容するための開口部Ｏを有して樹脂を素材として一体的に形成されている。
【００１１】
ラジエータコアサポートアッパ４は、後方側へ開口した略コ字状断面に形成される他、このコ字状断面の内部には略板状のリブ４ａが左右方向に離間して複数形成されている。
【００１２】
ラジエータコアサポートロア５は、ラジエータコアサポートアッパ４と同様に後方側へ開口した略コ字状断面に形成される他、その内部には左右方向に離間して複数の板状のリブ５ａが形成されている。
また、ラジエータコアサポートロア５の左右両端部には、上下方向に開口した挿入穴５ｂを備える固定部5c,5dが形成されている。
【００１３】
ラジエータコアサポートサイド6,7は後方側に開口した略コ字状断面に形成される他、その内部には上下方向に離間して複数の板状のリブ6a,7aが形成されている。
【００１４】
そして、本実施例１では、ラジエータコアサポートアッパ４の略中央と、ラジエータコアサポートサイド６の上部に後述する固定部８がそれぞれ設けられている。なお、各固定部８の構造は同様であるため、以下、ラジエータコアサポートサイド６の上部位置に設けられた固定部８について説明する。
【００１５】
図３に示すように、固定部８は、円形断面のハーネス３の略半外周形状に合致し、後方に開口して袋状に形成されたハーネス用溝８ａと、このハーネス用溝８ａの開口側上端に連続し、熱交換器２の接続パイプ１０の一部外周と合致する形状の接続パイプ用溝８ｂと、円形断面の接続パイプ１０の半外周形状を有して上方に開口した仮保持溝８ｃを有し、後述するテーパ部８ｅに近接して設けられたヒンジ機構９により上方に回動可能な開閉部８ｄで構成されている。
また、ハーネス用溝８ａの開口側下端から後方へ低く傾斜したテーパ部８ｅが形成されている。
【００１６】
ヒンジ機構９は、テーパ部８ｅの先端側に形成された櫛状の櫛状部９ａと、開閉部８ｄの基端側に形成され、且つ、櫛状部９ａと交互に重ねられた櫛状の櫛状部９ｂと、これら両櫛状部9a,9bを軸支するピン９ｃで構成され、これによって、開閉部はピン９ｃを中心として上方へ回動可能となっている。
また、櫛状部9a,9bは、テーパ部８ｅの下端でもあり、同一高さの平坦な面となる平坦部9d,9eが形成されている。
【００１７】
さらに、開閉部８ｄの先端側には内側に突出した係止爪８ｆが形成される他、固定部８の上部には下方に切欠された係止段部８ｇが形成されている。
【００１８】
図４に示すように、熱交換器２は、アルミ製のコア部２ａの上下に樹脂製のタンク2b,2cが配置される所謂ダウンフロー型のラジエータが採用されている。
コア部２ａは、両端部がそれぞれ対応するタンク2b,2cのチューブプレート（図示せず）に挿通し固定される複数のチューブ２ｃと、隣接するチューブ２ｃ同士の間に配置される波状のフィン２ｄで構成されている。
また、コア部２ａの左右両側は、両端部がそれぞれ対応するタンク2b,2cのチューブプレートに挿通し固定される一対のレインフォース2e,2fで連結補強されている。
【００１９】
さらに、タンク2b,2cの後面には円筒状の入出力ポート2g,2hがそれぞれ対応するタンク2b,2cの内部と連通した状態で形成される他、タンク２ｂの両端部には上方に突出した車両搭載ピンP1,P1が形成される一方、タンク２ｃの両端部には下方に突出した車両搭載ピンP2,P2がそれぞれ形成されている。
なお、熱交換器２はラジエータに限らず、コンデンサやその他の種類の熱交換器を採用しても良い。
【００２０】
また、実施例１では、熱交換器２をコア部２ａの上下にタンク2b,2cが配置される所謂ダウンフロー型のラジエータに適用したが、コア部の左右に一対のタンクが配置される所謂パラレルフロー型のラジエータであっても本発明は適用できる。その場合には接続パイプ及びハーネスの配線経路が一部異なるだけであって、本発明の固定部８の構造をそのまま適用できる。
【００２１】
また、図１に示すように、熱交換器２の入出力ポート２ｇには、図５に示す接続パイプ１０の一端側が接続される他、この接続パイプ１０は入出力ポート２ｇから後方へ突出する第１直線部１０ａと、この第１直線部１０ａから上方へ屈折する第２直線部１０ｂと、この第２直線部１０ｂから図中左側へ屈折して左右方向へ延設する第３直線部１０ｃと、この第３直線部１０ｃから斜め下方へ屈曲する第４直線部１０ｄと、この第４直線部１０ｄから左右方向へ延設する第５直線部１０ｅと、この第５直線部１０ｅから後方へ突出して開口された第６直線部１０ｆを備える形状に形成されている。なお、接続パイプ１０の形状は適宜設定できる。
また、接続パイプ１０の中途部には図外のフィラーネックが設けられている。
【００２２】
図６に示すように、ハーネス３は、ラジエータコアサポート１の左右両側に装着されるヘッドランプ等の周辺部材の複数の配線が束状にされたメインハーネスが採用され、その両端部には、上記周辺部材側のコネクタに接続するための接続コネクタK1,K2が設けられている。
【００２３】
次に、作用を説明する。
このように構成されたラジエータコアサポート１に、熱交換器２とハーネス３を固定する際には、先ず、熱交換器２のタンク２ｃの両端部の車両搭載ピンＰ２を図外の弾性素材からなるマウント部材を介してラジエータコアサポートロア５のそれぞれ対応する固定部5c,5dの挿入穴５ｂに固定し、熱交換器２のタンク２ｂの両端部の車両搭載ピンＰ１を図外のブラケット及び弾性素材からなるマウント部材を介してラジエータコアサポートアッパ４に固定することにより、熱交換器２をラジエータコアサポート１に固定する。
【００２４】
次に、図７、図８（ａ）に示すように、ハーネス３を各固定部８における接続パイプ用溝８ｂの下端、詳細には櫛状部9a,9bの各平坦部9d,9eの上に載置する一方、接続パイプ１０の第５直線部１０ｅにおける一方側半外周をそれぞれ対応する固定部８における開閉部８ｄの仮保持溝８ｃに挿入して保持させる。
【００２５】
次に、図８（ｂ）〜（ｄ）に示すように、各固定部８において、開閉部８ｄをヒンジ機構９のピン９ｃを中心として上方に回動させて接続パイプ用溝８ｃとテーパ部８ｅの下端との間を閉塞した後、係止爪８ｆを係止段部８ｇに係止させて固定することにより、接続パイプ１０でハーネス３を前方へ押圧してテーパ部８ｅに摺動させながらハーネス用溝８ａに挿入して保持させると同時に、接続パイプの他方側半外周を接続パイプ用溝８ｃに挿入して保持させる（図９参照）。
この際、図８（ｂ）に示すように、開閉部８ｄの回動初期において櫛状部９ｂの平坦部９ｅがハーネス３を前方へ押圧することによりテーパ部８ｅに摺動させながら所定の高さ位置まで押し上げるため、ハーネス３がテーパ部８ｅと接続パイプ８の下端付近との間に挟まれる虞がなく、その後、接続パイプ８の側方に近い部位でハーネス３を押圧してテーパ部８ｅに摺動させることができ、これにより、確実にハーネス３をハーネス用溝８ａに導いて保持させることができる。
【００２６】
最後に、接続パイプ１０の一端部を熱交換器２の入力ポート２ｇに接続して接続パイプ１０とハーネス３の固定を終了する（図１参照）。
【００２７】
従って、本実施例１のラジエータコアサポート構造では、ハーネス３と接続パイプ１０をラジエータコアサポート１に対して同時に短時間で容易に固定できる。
また、各固定部８の係止部８ｆと係止段部８ｇの係止を解除して開閉部８ｄを回動させることにより、ハーネス３及び接続パイプ１０の整備点検や交換作業を容易に行うことができる。
また、何らかの原因により、固定部８の係止部８ｆと係止段部８ｇの係止が解除された場合でもハーネス３及び接続パイプ１０が下方に落下する虞がない。
【００２８】
次に、効果を説明する。
以上、説明したように、本実施例１のラジエータコアサポート構造にあっては、ラジエータコアサポート１に、ハーネス３の略半外周形状に合致し、後方に開口するハーネス用溝８ａと、ハーネス用溝８ａの開口側上端に連続し、接続パイプ１０の一部外周と合致する形状の接続パイプ用溝８ｂと、ハーネス用溝８ａの開口側下端に連続し、該ハーネス用溝８ａと反対側へ低く傾斜したテーパ部８ｅと、接続パイプ１０の半外周形状を有して上方に開口した仮保持溝８ｃを有し、テーパ部８ｅの下端に近接して設けられたヒンジ機構９により上方に回動可能な開閉部８ｄとを備えたので、開閉部８ｄの仮保持溝８ｃに接続パイプ１０の一方側半外周を挿入して保持させると共に、テーパ部８ｅの下端にハーネス３を載置した後、開閉部８ｄをヒンジ機構９により上方に回動して接続パイプ用溝８ａとテーパ部８ｅの下端との間を閉塞することにより、接続パイプ１０でハーネス３を前方へ押圧してテーパ部８ｅに摺動させながらハーネス用溝８ａに挿入して保持させると同時に、接続パイプ１０の他方側半外周を接続パイプ用溝８ｂとテーパ部８ｅに当接させて保持させるため、熱交換器２の接続パイプ１０とハーネス３をラジエータコアサポート１に対して同時に短時間で容易に固定できる。
【００２９】
以上、本実施例を説明してきたが、本発明は上述の実施例に限られるものではなく、本発明の要旨を逸脱しない範囲の設計変更等があっても、本発明に含まれる。
例えば、接続パイプ１０、ハーネス３の設置数、種類、形状等は適宜設定でき、これに伴う各部位の詳細な形状変更は全て本発明の範疇となる。
同様に、ヒンジ機構９を含む固定部８の形成数、形成部位、形状等も適宜設定できる。
さらに、固定部８の設置部位を本実施例１ではラジエータコアサポート１の車両の後面側としたが、前面側あるいはラジエータコアサポート１の側面に設けても良い。この場合には、ハーネス用溝８ａが開口する方向はそれぞれ車両前方、車両側方となる。
【図面の簡単な説明】
【００３０】
【図１】本発明の実施例１のラジエータコアサポート構造を車両後方側から見た全体正面図である。
【図２】本実施例１のラジエータコアサポートを車両後方側から見た正面図である。
【図３】本実施例１の固定部の斜視図である。
【図４】本実施例１の熱交換器の正面図である。
【図５】本実施例１の接続パイプの斜視図である。
【図６】本実施例１のハーネスの正面図である。
【図７】本実施例１の固定部、ハーネス、接続パイプの固定を説明する図である。
【図８】本実施例１の固定部、ハーネス、接続パイプの固定を説明する図である。
【図９】本実施例１の固定部、ハーネス、接続パイプの固定を説明する図である。
【符号の説明】
【００３１】
Ｐ１、Ｐ２  車両搭載ピン
１  ラジエータコアサポート
２  熱交換器
２ａ  コア部
２ｂ、２ｃ  タンク
２ｄ  フィン
２ｅ、２ｆ  レインフォース
２ｇ、２ｈ  入出力ポート
３  ハーネス
４  ラジエータコアサポートアッパ
４ａ、５ａ、６ａ、７ａ  リブ
５  ラジエータコアサポートロア
５ｂ  挿入穴
５ｃ、５ｄ  固定部
６、７  ラジエータコアサポートサイド
８  固定部
８ａ  ハーネス用溝
８ｂ  接続パイプ用溝
８ｃ  仮保持溝
８ｄ  開閉部
８ｅ  テーパ部
８ｆ  係止爪
８ｇ  係止段部
９  ヒンジ機構
９ａ、９ｂ  櫛状部
９ｃ  ピン
９ｄ、９ｅ  平坦部
１０  接続パイプ
１０ａ  第１直線部
１０ｂ  第２直線部
１０ｃ  第３直線部
１０ｄ  第４直線部
１０ｅ  第５直線部
１０ｆ  第６直線部
【図１】
2007290531.tif 000003
【図２】
2007290531.tif 000004
【図３】
2007290531.tif 000005
【図４】
2007290531.tif 000006
【図５】
2007290531.tif 000007
【図６】
2007290531.tif 000008
【図７】
2007290531.tif 000009
【図８】
2007290531.tif 000010
【図９】
2007290531.tif 000011